【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
オーディオビジュアル装置と、アクティブモードと非アクティブモードを有する複数の周辺装置と、前記オーディオビジュアル装置と前記周辺装置間に配置されるインターフェースと、アクティブモードにある前記周辺装置から前記オーディオビジュアル装置に供給可能なプログラムを表示する電子リソースガイド（ＥＲＧ）表示を提供するための電子リソースガイドジェネレータとを備えることを特徴とするスクリーン表示電子リソースガイドを提供するシステム。
【請求項２】
１つのプログラムをシングルエントリとして前記ＥＲＧディスプレイ上に表示し、該エントリが選択されると該プログラムを表示することを特徴とする請求項１に記載のシステム。
【請求項３】
１つのアクティブな周辺装置を少なくとも１本の“存在表示”行として前記ＥＲＧディスプレイに表示し、前記周辺装置の前記“存在表示”行が選択されると該周辺装置に関連する１つのＥＲＧを表示することを特徴とする請求項１に記載のシステム。
【請求項４】
１つのプログラムが複数の周辺装置で処理される場合、該プログラムは関連する複数の行を前記ＥＲＧ上で持ち得ることを特徴とする請求項３に記載のシステム。
【請求項５】
１本の放送チャンネルが前記ＥＲＧ上で１本の行で表現され、関連データストストリームが前記ＥＲＧ上で１本の連結行で表現されることを特徴とする請求項１に記載のシステム。
【請求項６】
１周辺装置が１つのプログラムを提供する場合に前記ＥＲＧ表示が動的に更新されることを特徴とする請求項１に記載のシステム。
【請求項７】
１周辺装置が或るモードから他のモードに変化する時に前記ＥＲＧ表示が動的に更新され、該周辺装置が該ＥＲＧから制御されることを特徴とする請求項１に記載のシステム。
【請求項８】
前記ＥＲＧが、前記インターフェース上の前記周辺装置と入出力をマッピングし、前記ＥＲＧから前記周辺装置への１組の標準命令をマッピングするための１個のレジストリを含むことを特徴とする請求項１に記載のシステム。
【請求項９】
前記ＥＲＧが、１周辺装置と前記オーディオビジュアル装置間の非標準命令のマッピングを容易にする学習機構を含むことを特徴とする請求項８に記載のシステム。
【請求項１０】
前記学習機構が、予め定められた学習シーケンスを含むことを特徴とする請求項９に記載のシステム。
【請求項１１】
前記レジストリが、各周辺装置用の適当な制御スキームのエントリを提供するために１つのデバイス型レジストリと１つの制御コードレジストリを含むことを特徴とする請求項８に記載のシステム。
【請求項１２】
前記デバイス型レジストリが、複数のデバイス型コードを列挙した１枚のメニューを含むことを特徴とする請求項１１に記載のシステム。
【請求項１３】
前記制御コードレジストリが、複数の制御コードを列挙した１枚のメニューを含むことを特徴とする請求項１１に記載のシステム。
【請求項１４】
前記インターフェースが、前記オーディオビジュアル装置上に複数の入出力ポートを含むことを特徴とする請求項８に記載のシステム。
【請求項１５】
アクティブモードと非アクティブモードを有する複数の周辺装置とインターフェースにより接続した１台のオーディオビジュアル装置においてスクリーン表示電子リソースガイド（ＥＲＧ）を提供するために、アクティブモードにある前記周辺装置から前記オーディオビジュアル装置に供給可能なプログラムを表示するＥＲＧディスプレイを生成することと前記ＥＲＧディスプレイから１周辺装置を制御することから成ることを特徴とするスクリーン表示電子リソースガイドを提供する方法。
【請求項１６】
１つのプログラムをシングルエントリとして前記ＥＲＧディスプレイ上に表示することを含むことを特徴とする請求項１５に記載の方法。
【請求項１７】
１つのアクティブな周辺装置を少なくとも１本の“存在表示”行として前記ＥＲＧディスプレイに表示し、前記周辺装置の前記“存在表示”行が選択されると該周辺装置と関連する１つのＥＲＧを表示することを含むことを特徴とする請求項１５に記載の方法。
【請求項１８】
１つのプログラムを複数の周辺装置で処理し、そのように処理されるプログラムを複数の行で前記ＥＲＧ上に表示することを含むことを特徴とする請求項１７に記載の方法。
【請求項１９】
１本の放送チャンネルを前記ＥＲＧディスプレイ上の１本の行で表現し、該放送チャンネル用関連データストストリームを前記ＥＲＧディスプレイ上の１本の連結行で表現することを含むことを特徴とする請求項１５に記載の方法。
【請求項２０】
１周辺装置が前記インターフェース上に１つの新たなプログラムを提供する場合に前記ＥＲＧ表示を動的に更新することを含むことを特徴とする請求項１５に記載の方法。
【請求項２１】
１周辺装置が或るモードから他のモードに切り変わる時に前記ＥＲＧ表示を動的に更新することを含むことを特徴とする請求項１５に記載の方法。
【請求項２２】
電子プログラミング手段を有する１台のオーディオビジュアル装置と１台の周辺装置間の１組の標準命令と、前記オーディオビジュアル装置と前記周辺装置間の入出力チャンネルのマップとを登録することをさらに含むことを特徴とする請求項１５に記載の方法。
【請求項２３】
１周辺装置と前記オーディオビジュアル装置間の非標準命令のマッピングを容易にするために前記ＥＲＧをトレーニングすることをさらに含むことを特徴とする請求項２２に記載の方法。
【請求項２４】
前記トレーニングが、オーディオビジュアル装置における周辺装置用命令を符号化する予め定められた学習シーケンスを提供することを含むことを特徴とする請求項２３に記載の方法。
【請求項２５】
前記登録することが、オーディオビジュアル装置の特別な周辺装置を識別するための１つのデバイス型レジストリを提供することを含むことを特徴とする請求項２２に記載の方法。
【請求項２６】
前記登録することが、オーディオビジュアル装置の特別な周辺装置の制御スキームを識別するための制御コードレジストリを提供することを含むことを特徴とする請求項２２に記載の方法。
【請求項２７】
アクティブモードと非アクティブモードを有する複数の周辺装置にインターフェースを介して接続されたオーディオビジュアル装置であって、アクティブモードにある前記周辺装置が供給可能なプログラム情報から電子リソースガイドを生成する電子リソースガイドジェネレータを備えたことを特徴とするオーディオビジュアル装置。
【請求項２８】
前記電子リソースガイドは、一つ以上の電子プログラムガイドを含むことを特徴とする請求項２７記載のオーディオビジュアル装置。
【請求項２９】
前記電子リソースガイドジェネレータは、プログラムもしくはチャンネル情報と時間情報をＸ−Ｙグリッドで表示可能な電子リソースガイドを作成することを特徴とする請求項２７記載のオーディオビジュアル装置。
【請求項３０】
前記電子リソースガイドジェネレータは、インターフェースを介して接続された前記周辺装置がアクティブモードにある場合に、前記電子リソースガイドが更新可能であることを特徴とする請求項２７記載のオーディオビジュアル装置。
【請求項３１】
前記電子リソースガイドジェネレータは、前記電子リソースガイド上に前記アクティブモードにある複数の周辺装置の少なくとも一つの“存在”を示す情報を表示し、該存在を示す情報が選択されると、該存在を示す情報に対応した周辺装置用のＥＲＧを表示することを特徴とする請求項２７記載のオーディオビジュアル装置。
【請求項３２】
前記電子リソースガイドジェネレータは、時間経過に伴い変化するプログラムと記録メディアのプログラムとを共に表示可能な電子リソースガイドを作成することを特徴とする請求項２７記載のオーディオビジュアル装置。
【請求項３３】
前記電子リソースガイドジェネレータは、インターフェースを介して接続された他の周辺装置の操作画面を含む電子リソースガイドを作成することを特徴とする請求項２７記載のオーディオビジュアル装置。
【請求項３４】
アクティブモードと非アクティブモードを有する複数の周辺装置にインターフェースを介して接続されたオーディオビジュアル装置におけるプログラム表示方法であって、前記周辺装置がアクティブモードにあるかどうかを判定する判定ステップと、前記周辺装置から供給可能なプログラム情報を取得するプログラム取得ステップと、一つ以上の前記周辺装置から取得したプログラム情報を表示するための電子リソースガイドを生成する電子リソースガイド生成ステップとを有することを特徴とするプログラム表示方法。
【手続補正２】
【補正対象書類名】明細書
【補正対象項目名】００１０
【補正方法】変更
【補正の内容】
【００１０】
レーザディスク又はディジタルビデオディスクプレーヤのような異なるタイプの周辺装置を制御するためにＥＲＧを用いることを教示または示唆している先行技術は皆無である。先行技術は、未知のタイプの周辺装置をＥＲＧに先ず登録し制御することを検討しておらず、ＥＲＧ内におけるデータサービスのような非ビデオストリームの取り扱いも記述していない。先行技術は、ＥＲＧに周辺装置を登録して放送チャンネルの処理と同様にＥＲＧ内でプログラムソースとして処理できるようにする方法も記載していない。


【手続補正３】
【補正対象書類名】明細書
【補正対象項目名】００２５
【補正方法】変更
【補正の内容】
【００２５】
構成部分が接続され、ケーブル，ＤＶＤ，テープ，ＣＤ等からの信号がネットワークを通じて移動すると、ユーザはどの形式のプログラムを見るかを決定しなければならない。ここで、本発明のＥＲＧが動作し始める。ここで使用する用語“プログラム（番組）”は、システム１０において見聞きできる視聴覚資料源を意味することに留意すべきである。ＥＲＧと関連ＥＰＧはプログラム，チャンネル及び時間情報を図３の６０に示すようなＸ−Ｙグリッドで表示する。チャンネル又は局，識別子（ＩＤ）は左ソース列６２に、時間は上方の時間行６４、プログラム情報はグリッド（格子）６６中に表示される。